(57)【要約】【課題】  直管形ＬＥＤランプが誤って取り外されることを防止することが可能なＬＥＤ照明装置を提供すること。【解決手段】  ＬＥＤ照明装置１０１は、軸方向両端に配置された２つの口金２５０を有する直管形ＬＥＤランプ２０１と、２つの口金２５０が装填される２つのソケット４０１，４０２と、２つのソケット４０１，４０２を支持する土台部３００と、を備えており、土台部３００には、取り付け用開口３２１が形成されており、直管形ＬＥＤランプ２０１を挟んで土台部３００とは反対側に位置する支持部６１１、この支持部６１１の両端に繋がる脚部６２１，６２２、およびこれら脚部６２１，６２２の端部に設けられた固定部６３１，６３２、を有する取替阻止部材６００をさらに備えており、固定部６３１は、取り付け用開口３２１に固定されている。【選択図】  図１
2014089838.tif 000002
【特許請求の範囲】
【請求項１】
軸方向両端に配置された２つの口金を有する直管形ＬＥＤランプと、
上記２つの口金が装填される２つのソケットと、
上記２つのソケットを支持する土台部と、を備えており、
上記土台部には、第１の取り付け用開口が形成されており、
上記直管形ＬＥＤランプを挟んで上記土台部とは反対側に位置する支持部、この支持部両端に繋がる第１および第２の脚部、およびこれら第１および第２の脚部の端部に設けられた第１および第２の固定部、を有する取替阻止部材をさらに備えており、
上記第１の固定部は、上記第１の取り付け用開口に固定されていることを特徴とする、ＬＥＤ照明装置。
【請求項２】
上記取替阻止部材は、ワイヤからなる、請求項１に記載のＬＥＤ照明装置。
【請求項３】
上記第１の固定部は、リベットによって上記第１の取り付け用開口に固定されている、請求項１または２に記載のＬＥＤ照明装置。
【請求項４】
上記第１の固定部は、ねじによって上記第１の取り付け用開口に固定されている、請求項１または２に記載のＬＥＤ照明装置。
【請求項５】
上記取替阻止部材は、上記第１の固定部を構成する第１の屈曲部を有しており、この第１の屈曲部は、上記第１の取り付け用開口に挿入されている、請求項１または２に記載のＬＥＤ照明装置。
【請求項６】
上記第１の屈曲部は、上記取替阻止部材のうち上記第１の屈曲部以外の部分との最短距離が上記第１の取り付け用開口の開口寸法よりも大である部位を有する、請求項５に記載のＬＥＤ照明装置。
【請求項７】
上記第１および第２の脚部は、上記直管形ＬＥＤランプの長手方向視において交差しない、請求項１ないし６のいずれかに記載のＬＥＤ照明装置。
【請求項８】
上記第１および第２の脚部は、上記直管形ＬＥＤランプの長手方向視において交差する、請求項１ないし６のいずれかに記載のＬＥＤ照明装置。
【請求項９】
上記土台部には、第２の取り付け用開口が形成されており、
上記第２の固定部は、上記第２の取り付け用開口に固定されている、請求項１ないし８のいずれかに記載のＬＥＤ照明装置。
【請求項１０】
上記第２の固定部は、リベットによって上記第２の取り付け用開口に固定されている、請求項９に記載のＬＥＤ照明装置。
【請求項１１】
上記第２の固定部は、ねじによって上記第２の取り付け用開口に固定されている、請求項９に記載のＬＥＤ照明装置。
【請求項１２】
上記取替阻止部材は、上記第２の固定部を構成する第２の屈曲部を有しており、この第２の屈曲部は、上記第２の取り付け用開口に挿入されている、請求項９に記載のＬＥＤ照明装置。
【請求項１３】
上記第２の屈曲部は、上記取替阻止部材のうち上記第２の屈曲部以外の部分との最短距離が上記第２の取り付け用開口の開口寸法よりも大である部位を有する、請求項１２に記載のＬＥＤ照明装置。
【請求項１４】
上記第２の固定部は、上記第１の脚部に締結されている、請求項１ないし６のいずれかに記載のＬＥＤ照明装置。
【請求項１５】
軸方向両端に配置された２つの口金を有し、上記直管形ＬＥＤランプと平行に配置された追加の直管形ＬＥＤランプと、
上記追加の直管形ＬＥＤランプの上記２つの口金が装填され、上記土台部に支持された２つの追加のソケットと、を備えており、
上記土台部には、追加の取り付け用開口が形成されており、
上記取替阻止部材は、上記追加の直管形ＬＥＤランプを挟んで上記土台部とは反対側に位置する追加の支持部、この追加の支持部両端に繋がる追加の第１および第２の脚部、および上記追加の第１の脚部の端部に設けられた追加の固定部、を有し、
上記追加の固定部は、上記追加の取り付け用開口に固定されている、請求項９ないし１１のいずれかに記載のＬＥＤ照明装置。
【請求項１６】
上記追加の第２の脚部は、上記第２の固定部に繋がっている、請求項１５に記載のＬＥＤ照明装置。
【請求項１７】
上記追加の固定部は、リベットによって上記追加の取り付け用開口に固定されている、請求項１５または１６に記載のＬＥＤ照明装置。
【請求項１８】
上記追加の固定部は、ねじによって上記追加の取り付け用開口に固定されている、請求項１５または１６に記載のＬＥＤ照明装置。
【請求項１９】
上記取替阻止部材は、上記追加の固定部を構成する追加の屈曲部を有しており、この追加の屈曲部は、上記追加の取り付け用開口に挿入されている、請求項１５または１６に記載のＬＥＤ照明装置。
【請求項２０】
上記追加の屈曲部は、上記取替阻止部材のうち上記追加の屈曲部以外の部分との最短距離が上記追加の取り付け用開口の開口寸法よりも大である部位を有する、請求項１９に記載のＬＥＤ照明装置。
【請求項２１】
上記追加の第１および第２の脚部は、上記追加の直管形ＬＥＤランプの長手方向視において交差しない、請求項１５ないし２０のいずれかに記載のＬＥＤ照明装置。
【請求項２２】
上記追加の第１および第２の脚部は、上記追加の直管形ＬＥＤランプの長手方向視において交差する、請求項１５ないし２０のいずれかに記載のＬＥＤ照明装置。
【発明の詳細な説明】
【技術分野】
【０００１】
本発明は、ＬＥＤ照明装置に関する。
【背景技術】
【０００２】
ＬＥＤチップを光源として用いた直管形ＬＥＤランプが提案されている。特許文献１には、長矩形状の基板と、この基板上に搭載された複数のＬＥＤモジュールと、上記基板を収容する管状のカバーと、２つの口金とを備えている。上記複数のＬＥＤモジュールは、各々がＬＥＤチップを内蔵している。上記２つの口金は、この直管形ＬＥＤランプの両端に設けられている。この直管形ＬＥＤランプは、上記２つの口金を一般用蛍光灯照明器具のソケットの差込口に嵌合させることにより、上記複数のＬＥＤモジュールを発光させることが可能であり、一般用直管形蛍光灯の代替手段として用いることが可能に構成されている。
【０００３】
上記直管形ＬＥＤランプは、管状の上記カバーを透して上記複数のＬＥＤモジュールからの光を出射する。このような直管形ＬＥＤランプの外観は、直管形蛍光灯に類似したものとされている。このため、一般用蛍光灯照明器具に取り付けられた上記直管形ＬＥＤランプを直管形蛍光灯と誤認され、直管形蛍光灯に取り替えられる可能性がある。たとえば、上記直管形ＬＥＤランプを取り付けるために、一般用蛍光灯照明器具の電源部に変更が施される場合がある。このような変更が施された一般用蛍光灯照明器具に直管形蛍光灯が取り付けることは好ましくない。
【先行技術文献】
【特許文献】
【０００４】
【特許文献１】実開平６−５４１０３号公報
【発明の概要】
【発明が解決しようとする課題】
【０００５】
本発明は、上記した事情のもとで考え出されたものであって、直管形ＬＥＤランプが誤って取り外されることを防止することが可能なＬＥＤ照明装置を提供することをその課題とする。
【課題を解決するための手段】
【０００６】
本発明によって提供されるＬＥＤ照明装置は、軸方向両端に配置された２つの口金を有する直管形ＬＥＤランプと、上記２つの口金が装填される２つのソケットと、上記２つのソケットを支持する土台部と、を備えており、上記土台部には、第１の取り付け用開口が形成されており、上記直管形ＬＥＤランプを挟んで上記土台部とは反対側に位置する支持部、この支持部両端に繋がる第１および第２の脚部、およびこれら第１および第２の脚部の端部に設けられた第１および第２の固定部、を有する取替阻止部材をさらに備えており、上記第１の固定部は、上記第１の取り付け用開口に固定されていることを特徴としている。
【０００７】
本発明の好ましい実施の形態においては、上記取替阻止部材は、ワイヤからなる。
【０００８】
本発明の好ましい実施の形態においては、上記第１の固定部は、リベットによって上記第１の取り付け用開口に固定されている。
【０００９】
本発明の好ましい実施の形態においては、上記第１の固定部は、ねじによって上記第１の取り付け用開口に固定されている。
【００１０】
本発明の好ましい実施の形態においては、上記取替阻止部材は、上記第１の固定部を構成する第１の屈曲部を有しており、この第１の屈曲部は、上記第１の取り付け用開口に挿入されている。
【００１１】
本発明の好ましい実施の形態においては、上記第１の屈曲部は、上記取替阻止部材のうち上記第１の屈曲部以外の部分との最短距離が上記第１の取り付け用開口の開口寸法よりも大である部位を有する。
【００１２】
本発明の好ましい実施の形態においては、上記第１および第２の脚部は、上記直管形ＬＥＤランプの長手方向視において交差しない。
【００１３】
本発明の好ましい実施の形態においては、上記第１および第２の脚部は、上記直管形ＬＥＤランプの長手方向視において交差する。
【００１４】
本発明の好ましい実施の形態においては、上記土台部には、第２の取り付け用開口が形成されており、上記第２の固定部は、上記第２の取り付け用開口に固定されている。
【００１５】
本発明の好ましい実施の形態においては、上記第２の固定部は、リベットによって上記第２の取り付け用開口に固定されている。
【００１６】
本発明の好ましい実施の形態においては、上記第２の固定部は、ねじによって上記第２の取り付け用開口に固定されている。
【００１７】
本発明の好ましい実施の形態においては、上記取替阻止部材は、上記第２の固定部を構成する第２の屈曲部を有しており、この第２の屈曲部は、上記第２の取り付け用開口に挿入されている。
【００１８】
本発明の好ましい実施の形態においては、上記第２の屈曲部は、上記取替阻止部材のうち上記第２の屈曲部以外の部分との最短距離が上記第２の取り付け用開口の開口寸法よりも大である部位を有する。
【００１９】
本発明の好ましい実施の形態においては、上記第２の固定部は、上記第１の脚部に締結されている。
【００２０】
本発明の好ましい実施の形態においては、軸方向両端に配置された２つの口金を有し、上記直管形ＬＥＤランプと平行に配置された追加の直管形ＬＥＤランプと、上記追加の直管形ＬＥＤランプの上記２つの口金が装填され、上記土台部に支持された２つの追加のソケットと、を備えており、上記土台部には、追加の取り付け用開口が形成されており、上記取替阻止部材は、上記追加の直管形ＬＥＤランプを挟んで上記土台部とは反対側に位置する追加の支持部、この追加の支持部両端に繋がる追加の第１および第２の脚部、および上記追加の第１の脚部の端部に設けられた追加の固定部、を有し、上記追加の固定部は、上記追加の取り付け用開口に固定されている。
【００２１】
本発明の好ましい実施の形態においては、上記追加の第２の脚部は、上記第２の固定部に繋がっている。
【００２２】
本発明の好ましい実施の形態においては、上記追加の固定部は、リベットによって上記追加の取り付け用開口に固定されている。
【００２３】
本発明の好ましい実施の形態においては、上記追加の固定部は、ねじによって上記追加の取り付け用開口に固定されている。
【００２４】
本発明の好ましい実施の形態においては、上記取替阻止部材は、上記追加の固定部を構成する追加の屈曲部を有しており、この追加の屈曲部は、上記追加の取り付け用開口に挿入されている。
【００２５】
本発明の好ましい実施の形態においては、上記追加の屈曲部は、上記取替阻止部材のうち上記追加の屈曲部以外の部分との最短距離が上記追加の取り付け用開口の開口寸法よりも大である部位を有する。
【００２６】
本発明の好ましい実施の形態においては、上記追加の第１および第２の脚部は、上記追加の直管形ＬＥＤランプの長手方向視において交差しない。
【００２７】
本発明の好ましい実施の形態においては、上記追加の第１および第２の脚部は、上記追加の直管形ＬＥＤランプの長手方向視において交差する。
【００２８】
このような構成によれば、上記直管形ＬＥＤランプは、上記取替阻止部材によって上記土台部に拘束される。これにより、上記直管形ＬＥＤランプを、上記ソケットから離脱させる作業が阻止される。したがって、上記直管形ＬＥＤランプが誤って取り外されてしまうことを防止することができる。
【００２９】
本発明のその他の特徴および利点は、添付図面を参照して以下に行う詳細な説明によって、より明らかとなろう。
【図面の簡単な説明】
【００３０】
【図１】本発明の第１実施形態に基づくＬＥＤ照明装置を示す斜視図である。
【図２】図１のＩＩ−ＩＩ線に沿う断面図である。
【図３】本発明の第２実施形態に基づくＬＥＤ照明装置を示す断面図である。
【図４】本発明の第３実施形態に基づくＬＥＤ照明装置を示す断面図である。
【図５】本発明の第４実施形態に基づくＬＥＤ照明装置を示す断面図である。
【図６】本発明の第５実施形態に基づくＬＥＤ照明装置を示す断面図である。
【図７】本発明の第６実施形態に基づくＬＥＤ照明装置を示す断面図である。
【図８】本発明の第７実施形態に基づくＬＥＤ照明装置を示す断面図である。
【図９】本発明の第８実施形態に基づくＬＥＤ照明装置を示す断面図である。
【図１０】本発明の第９実施形態に基づくＬＥＤ照明装置を示す断面図である。
【図１１】本発明の第１０実施形態に基づくＬＥＤ照明装置を示す断面図である。
【図１２】本発明の第１１実施形態に基づくＬＥＤ照明装置を示す断面図である。
【発明を実施するための形態】
【００３１】
以下、本発明の好ましい実施の形態につき、図面を参照して具体的に説明する。
【００３２】
図１および図２は、本発明の第１実施形態に基づくＬＥＤ照明装置を示している。本実施形態のＬＥＤ照明装置１０１は、直管形ＬＥＤランプ２０１、土台部３００、２つのソケット４０１，４０２、および取替阻止部材６００を備えている。ＬＥＤ照明装置１０１は、一般用直管形蛍光灯に代えて直管形ＬＥＤランプ２０１が用いられた照明装置である。
【００３３】
直管形ＬＥＤランプ２０１は、基板２１０、複数のＬＥＤチップ２２０、放熱部材２３０、カバー２４０、および２つの口金２５０を備えており、細長い円柱形状とされている。
【００３４】
基板２１０は、直管形ＬＥＤランプ２０１の軸方向を長手方向とする長矩形状であり、たとえばガラスエポキシ樹脂からなる基材と、この基材上に形成された配線パターンとを有している。上記基材は、表面が絶縁性であることが好ましく、たとえばセラミックスや絶縁膜によって覆われたアルミによって構成されてもよい。
【００３５】
複数のＬＥＤチップ２２０は、直管形ＬＥＤランプ２０１の光源であり、たとえばＧａＮ系半導体からなる複数の半導体層を有する。ＬＥＤチップ２２０は、たとえば、上記基板２１０に直接搭載されたベアチップタイプである。この場合、ＬＥＤチップ２２０は、たとえば蛍光樹脂（図示略）によって覆われる。ＬＥＤチップ２２０がたとえば青色光を発する場合、上記蛍光樹脂は、透明な樹脂に青色光によって励起されることにより黄色光を発する蛍光材料が混入された材質からなる。これにより、直管形ＬＥＤランプ２０１は、白色光を発する。ＬＥＤチップ２２０は、上記ベアチップタイプに限定されず、たとえば、ＬＥＤチップ２２０を覆うケース、このケース内に充填されＬＥＤチップ２２０を覆う上記蛍光樹脂、およびＬＥＤチップ２２０に導通する実装端子を備えた、パッケージ化されたＬＥＤモジュールであってもよい。複数のＬＥＤチップ２２０は、たとえば基板２１０の長手方向に沿って配列されている。
【００３６】
放熱部材２３０は、たとえばアルミなどの金属からなり、基板２１０に接合されている。放熱部材２３０は、複数のＬＥＤチップ２２０からの熱を効率良く放散するために用いられている。
【００３７】
カバー２４０は、円管状であり、たとえば乳白色の半透明な樹脂からなる。カバー２４０は、基板２１０、複数のＬＥＤチップ２２０、および放熱部材２３０を収容している。
【００３８】
２つの口金２５０は、カバー２４０の長手方向両端に配置されている。各口金２５０には、２本の棒状の端子（図示略）が設けられている。これらの端子は、そのすべてが、もしくはそのいずれかが、基板２１０の上記配線パターンに導通している。２つの口金２５０は、一般用直管形蛍光灯の口金と同様の形状およびサイズとされている。
【００３９】
土台部３００は、直管形ＬＥＤランプ２０１をたとえば天井などに取り付けるための部位であり、たとえば金属または樹脂などからなる。本実施形態においては、土台部３００は、直管形ＬＥＤランプ２０１の軸方向を長手方向とする直方体形状とされている。土台部３００には、取り付け用開口３２１，３２２が形成されている。取り付け用開口３２１は、本発明で言う第１の取り付け用開口に相当し、取り付け用開口３２２は、本発明で言う第２の取り付け用開口に相当する。取り付け用開口３２１，３２２は、直管形ＬＥＤランプ２０１の長手方向と直角である方向において離間配置されている。
【００４０】
２つのソケット４０１，４０２は、土台部３００の長手方向両端寄りの位置に離間配置されている。２つのソケット４０１，４０２は、直管形ＬＥＤランプ２０１の２つの口金２５０が装填される部位であり、一般用直管形蛍光灯の口金も装填可能な形状およびサイズである。ソケット４０１，４０２は、口金２５０の装填および取り外しを適切に行うことが可能な機構が組み込まれている。たとえば、ある方向から口金２５０の上記端子をスライドさせて挿入した後に、直管形ＬＥＤランプ２０１を回転させることにより取り外しを防止する機構が採用される。あるいは、ソケット４０１，４０２の一方に、弾性力を利用した進退可能な部位を設けることにより、装填および取り外しを実現する機構が採用される。
【００４１】
取替阻止部材６００は、直管形ＬＥＤランプ２０１がたとえば誤って一般用直管形蛍光灯に取り替えられることを防止するためのものである。本実施形態においては、取替阻止部材６００は、支持部６１１、脚部６２１，６２２、固定部６３１，６３２を有する。取替阻止部材６００は、好ましくは金属製のワイヤからなる。取替阻止部材６００の材質としては、金属製のワイヤ以外に、たとえば樹脂製の線材、あるいは金属などからなる帯状部材などを適宜採用できる。
【００４２】
支持部６１１は、直管形ＬＥＤランプ２０１を土台部３００の反対側から支持する部位であり、本発明で言う第１の支持部に相当する。好ましくは、支持部６１１は、直管形ＬＥＤランプ２０１に接しているが、直管形ＬＥＤランプ２０１の取替を阻止する目的を達成するには、必ずしも直管形ＬＥＤランプ２０１に接している必要はなく、直管形ＬＥＤランプ２０１との間に隙間があってもよい。本実施形態においては、支持部６１１は、直管形ＬＥＤランプ２０１の口金２５０に接している。
【００４３】
２つの脚部６２１，６２２は、支持部６１１の両端に繋がっている。脚部６２１は、本発明で言う第１の脚部に相当し、脚部６２２は、本発明で言う第２の脚部に相当する。本実施形態においては、２つの脚部６２１，６２２は、直管形ＬＥＤランプ２０１の長手方向視において互いに交差しない構成となっており、図２において直管形ＬＥＤランプ２０１の左右両側に離間して配置されている。
【００４４】
２つの固定部６３１，６３２は、２つの脚部６２１，６２２の先端に設けられている。固定部６３１は、本発明で言う第１の固定部に相当し、固定部６３２は、本発明で言う第２の固定部に相当する。固定部６３１は、土台部３００の取り付け用開口３２１に固定されており、固定部６３２は、取り付け用開口３２２に固定されている。本実施形態においては、固定部６３１，６３２は、ともに取替阻止部材６００の端部が環状に折り曲げられた構成とされている。また、本実施形態においては、固定部６３１，６３２は、ともにリベット６９１によって取り付け用開口３２１，３２２に固定されている。リベット６９１は、取り付け用開口３２１，３２２および固定部６３１，６３２に挿通された細径部と、この細径部の両端に配置された比較的太径の２つの頭部とを有する。これらの頭部は、取り付け用開口３２１，３２２の開口寸法よりも大である。なお、取り付け用開口３２１，３２２の開口寸法とは、たとえば、取り付け用開口３２１，３２２が円形の場合その直径を意味し、正方形である場合一辺の長さを意味する。
【００４５】
次に、ＬＥＤ照明装置１０１の作用について説明する。
【００４６】
本実施形態によれば、直管形ＬＥＤランプ２０１は、取替阻止部材６００によって土台部３００に拘束される。これにより、直管形ＬＥＤランプ２０１を、ソケット４０１，４０２から離脱させる作業が阻止される。したがって、直管形ＬＥＤランプ２０１が誤って取り外されてしまうことを防止することができる。
【００４７】
リベット６９１を取り付け用開口３２１に係合させることにより、固定部６３１を取り付け用開口３２１により強固に固定することができる。同様に、リベット６９１を取り付け用開口３２２に係合させることにより、固定部６３２を取り付け用開口３２２により強固に固定することができる。
【００４８】
支持部６１１を口金２５０に近接させることにより、取替阻止部材６００がカバー２４０からの光を不当に遮ってしまうことを防止することができる。
【００４９】
図３〜図１２は、本発明の他の実施形態を示している。なお、これらの図において、上記実施形態と同一または類似の要素には、上記実施形態と同一の符号を付している。
【００５０】
図３は、本発明の第２実施形態に基づくＬＥＤ照明装置を示している。本実施形態のＬＥＤ照明装置１０２は、上述したリベット６９１に代えて、ねじ６９２によって固定部６３１，６３２が取り付け用開口３２１，３２２に固定されている。取り付け用開口３２１，３２２には、めねじ（図示略）が形成されている。このような実施形態によっても、直管形ＬＥＤランプ２０１が誤って取り外されてしまうことを防止することができる。
【００５１】
図４は、本発明の第３実施形態に基づくＬＥＤ照明装置を示している。本実施形態のＬＥＤ照明装置１０３は、固定部６３１，６３２が屈曲部によって構成されている。固定部６３１，６３２を構成する屈曲部は、取替阻止部材６００の両端が折り曲げられることによって形成されている。本実施形態においては、固定部６３１，６３２は、２箇所の折り曲げ箇所を含んでいる。固定部６３１，６３２の先端と、取替阻止部材６００のうち固定部６３１，６３２以外の部分との最短距離、本実施形態においては脚部６２１，６２２の下端付近部分との距離は、取り付け用開口３２１，３２２の開口寸法よりも大となっている。このような実施形態によっても、直管形ＬＥＤランプ２０１が誤って取り外されてしまうことを防止することができる。屈曲部によって構成された固定部６３１，６３２は、取り付け用開口３２１，３２２に対して容易に固定することができるという利点がある。上述した最短距離が取り付け用開口３２１，３２２の開口寸法よりも大であることにより、固定部６３１，６３２が取り付け用開口３２１，３２２から外れてしまうことを適切に回避することができる。
【００５２】
図５は、本発明の第４実施形態に基づくＬＥＤ照明装置を示している。本実施形態のＬＥＤ照明装置１０４は、固定部６３１がリベット６９１によって取り付け用開口３２１に固定されており、固定部６３２が屈曲部によって構成されている。このような実施形態によっても、直管形ＬＥＤランプ２０１が誤って取り外されてしまうことを防止することができる。また、本実施形態から理解される通り、固定部６３１，６３２を取り付け用開口３２１，３２２に固定するための手段は、たとえばリベット６９１、ねじ６９２、あるいは上述した屈曲部による構成など、それぞれ独立して採用される。
【００５３】
図６は、本発明の第５実施形態に基づくＬＥＤ照明装置を示している。本実施形態のＬＥＤ照明装置１０５は、固定部６３１がリベット６９１によって取り付け用開口３２１に固定されている。固定部６３２は、脚部６２１に締結されている。
【００５４】
図７は、本発明の第６実施形態に基づくＬＥＤ照明装置を示している。本実施形態のＬＥＤ照明装置１０６は、２つの脚部６２１，６２２が直管形ＬＥＤランプ２０１の長手方向視において互いに交差している。これにより、取替阻止部材６００は、直管形ＬＥＤランプ２０１の口金２５０の大部分に巻き付く構成となっている。本実施形態においては、固定部６３１，６３２は、上述したＬＥＤ照明装置１０１と同様にリベット６９１によって取り付け用開口３２１，３２２に固定されている。このような実施形態によっても、直管形ＬＥＤランプ２０１が誤って取り外されてしまうことを防止することができる。
【００５５】
図８は、本発明の第７実施形態に基づくＬＥＤ照明装置を示している。本実施形態のＬＥＤ照明装置１０７は、２つの脚部６２１，６２２が直管形ＬＥＤランプ２０１の長手方向視において互いに交差している。また、固定部６３１，６３２は、上述したＬＥＤ照明装置１０２と同様にねじ６９２によって取り付け用開口３２１，３２２に固定されている。このような実施形態によっても、直管形ＬＥＤランプ２０１が誤って取り外されてしまうことを防止することができる。
【００５６】
図９は、本発明の第８実施形態に基づくＬＥＤ照明装置を示している。本実施形態のＬＥＤ照明装置１０８は、２つの脚部６２１，６２２が直管形ＬＥＤランプ２０１の長手方向視において互いに交差している。固定部６３１，６３２が上述した屈曲部によって構成されている。このような実施形態によっても、直管形ＬＥＤランプ２０１が誤って取り外されてしまうことを防止することができる。
【００５７】
図１０は、本発明の第９実施形態に基づくＬＥＤ照明装置を示している。本実施形態のＬＥＤ照明装置１０９は、２つの脚部６２１，６２２が直管形ＬＥＤランプ２０１の長手方向視において互いに交差している。また、固定部６３１は、リベット６９１によって取り付け用開口３２１に固定されており、固定部６３２は、上述した屈曲部によって構成されている。このような実施形態によっても、直管形ＬＥＤランプ２０１が誤って取り外されてしまうことを防止することができる。また、本実施形態から理解される通り、２つの脚部６２１，６２２が互いに交差した構成であっても、固定部６３１，６３２を取り付け用開口３２１，３２２に固定するための手段は、たとえばリベット６９１、ねじ６９２、あるいは上述した屈曲部による構成など、それぞれ独立して採用される。
【００５８】
図１１は、本発明の第１０実施形態に基づくＬＥＤ照明装置を示している。本実施形態のＬＥＤ照明装置１１０は、直管形ＬＥＤランプ２０１に加えて直管形ＬＥＤランプ２０２を備えている。直管形ＬＥＤランプ２０２は、本発明で言う追加の直管形ＬＥＤランプに相当する。直管形ＬＥＤランプ２０１，２０２は、互いに平行に配置されている。また、土台部３００には、直管形ＬＥＤランプ２０２を装填するためのソケット４０１，４０２がもう一組設けられている。
【００５９】
取替阻止部材６００は、支持部６１１，６１２、脚部６２１，６２２，６２３，６２４、および固定部６３１，６３２，６３３を有している。支持部６１２は、本発明で言う追加の支持部に相当する。脚部６２３は、本発明で言う追加の第１の脚部に相当し、脚部６２４は、本発明で言う追加の第２の脚部に相当する。固定部６３３は、本発明で言う追加の固定部に相当する。
【００６０】
支持部６１２は、直管形ＬＥＤランプ２０２を土台部３００の反対側から支持する部位である。支持部６１１と同様に、好ましくは、支持部６１２は、直管形ＬＥＤランプ２０２に接しているが、直管形ＬＥＤランプ２０２の取替を阻止する目的を達成するには、必ずしも直管形ＬＥＤランプ２０２に接している必要はなく、直管形ＬＥＤランプ２０２との間に隙間があってもよい。本実施形態においては、支持部６１２は、直管形ＬＥＤランプ２０２の口金２５０に接している。
【００６１】
２つの脚部６２３，６２４は、支持部６１２の両端に繋がっている。本実施形態においては、２つの脚部６２３，６２４は、直管形ＬＥＤランプ２０２の長手方向視において互いに交差しない構成となっており、図１１において直管形ＬＥＤランプ２０２の左右両側に離間して配置されている。
【００６２】
固定部６３３は、脚部６２３の端部に設けられており、本実施形態においては、上述した屈曲部によって構成されている。固定部６３３は、土台部３００の取り付け用開口３３０に固定されている。取り付け用開口３３０は、本発明で言う追加の取り付け用開口に相当する。取り付け用開口３３０は、図１１の図中左右方向において直管形ＬＥＤランプ２０２を挟んで取り付け用開口３２２とは反対側に離間して配置されている。
【００６３】
脚部６２４は、固定部６３２に繋がっている。本実施形態においては、固定部６３２は、脚部６２２と脚部６２４との間の部分が環状に形成された部位からなる。
【００６４】
このような実施形態によれば、直管形ＬＥＤランプ２０１，２０２が誤って取り外されることを防止することができる。
【００６５】
図１２は、本発明の第１１実施形態に基づくＬＥＤ照明装置を示している。本実施形態のＬＥＤ照明装置１１１は、脚部６２１，６２２が直管形ＬＥＤランプ２０１の長手方向視において互いに交差している。また、脚部６２３，６２４が直管形ＬＥＤランプ２０２の長手方向視において互いに交差している。固定部６３１，６３２は、ねじ６９２によって取り付け用開口３２１，３２２に固定されている。このような実施形態によっても、直管形ＬＥＤランプ２０１，２０２が誤って取り外されることを防止することができる。なお、ＬＥＤ照明装置１１０，１１１から理解される通り、２つの脚部６２１，６２２および２つの脚部６２３，６２４の交差の有無や、固定部６３１，６３２，６３３を取り付け用開口３２１，３２２，３３０に固定するための手段は、たとえばリベット６９１、ねじ６９２、あるいは上述した屈曲部による構成など、それぞれ独立して採用される。
【００６６】
本発明に係るＬＥＤ照明装置は、上述した実施形態に限定されるものではない。本発明に係るＬＥＤ照明装置の各部の具体的な構成は、種々に設計変更自在である。
【００６７】
本発明で言う第２の固定部を土台部に固定するための態様は、第２の取り付け用開口に対して固定するものに限定されず、たとえば溶接や接着剤による固定であってもよい。また、本発明で言う取替阻止部材を、土台部の一部を加工することによって構成してもよい。
【符号の説明】
【００６８】
１０１〜１１１  ＬＥＤ照明装置
２０１  直管形ＬＥＤランプ
２０２  （追加の）直管形ＬＥＤランプ
２１０  基板
２２０  ＬＥＤチップ
２３０  放熱部材
２４０  カバー
２５０  口金
３００  土台部
３２１  （第１の）取り付け用開口
３２２  （第２の）取り付け用開口
３３０  （追加の）取り付け用開口
４０１，４０２  ソケット
６００  取替阻止部材
６１１  支持部
６１２  （追加の）支持部
６２１  （第１の）脚部
６２２  （第２の）脚部
６２３  （追加の第１の）脚部
６２４  （追加の第２の）脚部
６３１  （第１の）固定部
６３２  （第２の）固定部
６３３  （追加の）固定部
６９１  リベット
６９２  ねじ
【図１】
2014089838.tif 000003
【図２】
2014089838.tif 000004
【図３】
2014089838.tif 000005
【図４】
2014089838.tif 000006
【図５】
2014089838.tif 000007
【図６】
2014089838.tif 000008
【図７】
2014089838.tif 000009
【図８】
2014089838.tif 000010
【図９】
2014089838.tif 000011
【図１０】
2014089838.tif 000012
【図１１】
2014089838.tif 000013
【図１２】
2014089838.tif 000014